(57)【要約】【課題】ユーザがデッドバンドの規制を容易に履行できるようにする。【解決手段】空気調和機の冷房及び暖房の温度の設定を受け付ける入力部１２ａと、冷房温度及び暖房温度の設定値を表示する表示部１２ｂと、これらを制御するコントローラ１３と、を備える。コントローラ１３は、冷房温度又は暖房温度のうち、何れか一方の温度が初期値として設定され、次いで他方の温度が設定された際に、双方の温度差が予め定めた閾値以上を維持するように、先に設定された温度を変更する。【選択図】図１
2019074259.tif 000002
【特許請求の範囲】
【請求項１】
空気調和機の冷房及び暖房の温度の設定を受け付ける入力部と、
冷房温度及び暖房温度の設定値を表示する表示部と、
前記入力部及び前記表示部を制御する制御部と、を備え、
前記制御部は、
前記冷房温度又は前記暖房温度のうち、何れか一方の温度が初期値として設定され、次いで他方の温度が設定された際に、双方の温度差が予め定めた閾値以上を維持するように、先に設定された温度を変更することを特徴とする空気調和機の制御装置。
【請求項２】
前記制御部は、
後から設定された温度が変更され、前記温度差が前記閾値以上になったとき、先に設定された温度を前記初期値に戻すことを特徴とする請求項１に記載の空気調和機の制御装置。
【発明の詳細な説明】
【技術分野】
【０００１】
本発明は、空気調和機の制御装置に関するものである。
【背景技術】
【０００２】
例えば、米国の空気調和機においては、冷房で設定できる最低温度と暖房で設定できる最高温度との間に、一定の幅、つまりデッドバンドを設けることが定められている（非特許文献１参照）。
【先行技術文献】
【非特許文献】
【０００３】
【非特許文献１】ANSI/ASHRAE/IES Standard 90.1-2010, “Energy Standard for Buildings Except Low-Rise Residential Buildings I-P Edition”, American Society of Heating, Refrigerating and Air-Conditioning Engineers,Inc., P.42
【発明の概要】
【発明が解決しようとする課題】
【０００４】
ユーザが冷房の設定温度と暖房の設定温度とを任意に設定できる構成の場合、デッドバンドの規制を確実に履行するためには、設定操作が煩雑になる可能性があった。
本発明の課題は、ユーザがデッドバンドの規制を容易に履行できるようにすることである。
【課題を解決するための手段】
【０００５】
本発明の一態様に係る空気調和機の制御装置は、空気調和機の冷房及び暖房の温度の設定を受け付ける入力部と、冷房温度及び暖房温度の設定値を表示する表示部と、入力部及び表示部を制御する制御部と、を備え、制御部は、冷房温度又は暖房温度のうち、何れか一方の温度が初期値として設定され、次いで他方の温度が設定された際に、双方の温度差が予め定めた閾値以上を維持するように、先に設定された温度を変更することを特徴とする空気調和機の制御装置。
【発明の効果】
【０００６】
本発明によれば、冷房の温度及び暖房の温度を任意に選択した際に、双方の温度差が予め定めた閾値以上となるように、先に選択された温度を変更するので、ユーザはデッドバンドの規制を容易に履行することができる。
【図面の簡単な説明】
【０００７】
【図１】空気調和機の制御システムを示す図である。
【図２】表示処理のフローチャートである。
【図３】表示処理のフローチャートである。
【図４】温度リストの表示例を示す図である。
【図５】Ｔ１の変更結果を示す図である。
【図６】Ｔ１の復帰結果を示す図である。
【発明を実施するための形態】
【０００８】
以下、本発明の実施形態を図面に基づいて説明する。なお、各図面は模式的なものであって、現実のものとは異なる場合がある。また、以下の実施形態は、本発明の技術的思想を具体化するための装置や方法を例示するものであり、構成を下記のものに特定するものでない。すなわち、本発明の技術的思想は、特許請求の範囲に記載された技術的範囲内において、種々の変更を加えることができる。
【０００９】
《実施形態》
《構成》
図１は、空気調和機の制御システムを示す図である。
制御システム１１は、タッチパネル１２と、コントローラ１３と、空気調和機１４と、を備える。ここでは、数十台の空気調和機１４を集中管理する中規模システムを想定している。
【００１０】
タッチパネル１２は、操作入力部である入力部１２ａと、液晶ディスプレイである表示部１２ｂと、を備える。入力部１２ａは、画面に対するユーザのタッチ操作を、抵抗膜方式や静電容量方式のタッチセンサによって感知し、そのタッチ位置に基づいて各種設定を行う。表示部１２ｂは、バックライトから発せられた光を、部分的に遮ったり透過させたりすることによって任意の表示を行う。
制御部であるコントローラ１３は、例えばマイクロコンピュータによって構成され、リスト表示処理部２１と、選択結果表示処理部２２と、記憶部２３と、指令送信部２４と、を備える。
リスト表示処理部２１は、ユーザからタッチパネル１２を介して温度設定の要求があったときに、空気調和機１４における冷房時の温度リスト及び暖房時の温度リストをタッチパネル１２に表示する。
【００１１】
選択結果表示処理部２２は、ユーザが冷房時の温度リスト及び暖房時の温度リストの夫々から任意の温度を選択したときに、選択結果をタッチパネル１２に表示する。
記憶部２３は、予め定めたデッドバンドの幅α等をデータとして格納している。
以降このαを閾値として扱う。
指令送信部２４は、ユーザからの指令を空気調和機１４へ送信する。
空気調和機１４は、ユーザからの指令に応じて、室内の空気を、冷房や暖房、また除湿や加湿する等して所定の設定条件に調和させる。
【００１２】
図２及び図３は、表示処理を示すフローチャートである。
この表示処理は、特定のユーザから温度設定の要求があったときに起動される。
温度設定の要求操作はパスワード等での認証等により制限されており、例えば施設の管理者だけがこの操作を行える様な運用がなされる。
【００１３】
ステップＳ１０３では、空気調和機１４における室内機機能情報を取得する。
ステップＳ１０４では、現在の設定温度、つまり冷房時の設定温度Ｔｃ、及び暖房時の設定温度Ｔｈを取得する。
ステップＳ１０５では、冷房時の温度リスト、及び暖房時の温度リストをタッチパネル１２に表示する。各温度リストは、設定可能な温度の選択肢を列挙した一覧である。
【００１４】
図４は、温度リストの表示例を示す図である。
ここでは、左側に冷房時の温度リスト３１を表示し、右側に暖房時の温度リスト３２を表示してあり、夫々、１.０℃ごとに選択肢が列挙されている。冷房時の温度リスト３１で強調表示している「２６.０℃」、及び暖房時の温度リスト３２で強調表示している「２３.０℃」は、夫々、現在の設定温度である。
ステップＳ１０６では、冷房時の温度リスト３１、及び暖房時の温度リスト３２のうち、何れか一方から任意の温度が選択されたか否かを判定する。選択されたとき（Ｓ１０６−Ｎｏ）にはステップＳ１０７に移行する。尚、ここで選択された温度を初期値とする。一方、選択されていないとき（Ｓ１０６−Ｙｅｓ）には、選択されるまで待機する。
【００１５】
ステップＳ１０７では、選択結果をタッチパネル１２に強調表示する。例えば、図４では冷房時の温度リスト３１で「２６.０℃」が強調表示されているが、ユーザが「２５.０℃」をタッチすると、強調表示が「２６.０℃」から「２５.０℃」へと切り替わる。
ステップＳ１０８では、先に選択された温度をＴ１として記憶する。
ステップＳ１０９では、冷房時の温度リスト３１、及び暖房時の温度リスト３２のうち、他方から任意の温度が選択されたか否かを判定する。選択されたとき（Ｓ１０９−Ｙｅｓ）にはステップＳ１１０に移行する。一方、選択されていないとき（Ｓ１０９−Ｎｏ）には、選択されるまで待機する。
【００１６】
ステップＳ１１０では、選択結果をタッチパネル１２に強調表示する。図４では、暖房時の温度リスト３２で「２３.０℃」が強調表示されているが、ユーザが例えば「１９.０℃」をタッチすると、強調表示が「２３.０℃」から「１９.０℃」へと切り替わる。
ステップＳ１１１では、後に選択された温度をＴ２として記憶する。
ステップＳ１１２では、先に選択された温度Ｔ１が、冷房時の温度であるか否かを判定する。Ｔ１が冷房時の温度であるとき（Ｓ１１２−Ｙｅｓ）にはステップＳ１１３に移行する。一方、Ｔ１が暖房時の温度であるとき（Ｓ１１２−Ｎｏ）にはステップＳ１１５に移行する。
【００１７】
ステップＳ１１３では、予め定めた閾値であるαを参照し、先に選択された温度Ｔ１が後に選択された温度Ｔ２よりも大きく、且つ温度Ｔ１から温度Ｔ２を減算した値がα以上であるか否かを判定する（Ｔ１＞Ｔ２、且つＴ１−Ｔ２≧α）。ここで、温度Ｔ１が温度Ｔ２よりも大きく、且つ温度Ｔ１から温度Ｔ２を減算した値がα以上（Ｔ１＞Ｔ２、且つＴ１−Ｔ２≧α）であるとき（Ｓ１１３−Ｙｅｓ）には、選択された温度Ｔ１とＴ２との温度差がデッドバンドの規制を満たしていると判断してステップＳ１１７に移行する。一方、温度Ｔ１が温度Ｔ２以下である、又は温度Ｔ１から温度Ｔ２を減算した値がα未満（Ｔ１≦Ｔ２、又はＴ１−Ｔ２＜α）であるとき（Ｓ１１３−Ｎｏ）には、デッドバンドの規制を満たしていないと判断してステップＳ１１４に移行する。
【００１８】
ステップＳ１１４では、先に選択した温度Ｔ１を、後から選択した温度Ｔ２にデッドバンド分のαを加算した値に変更し（Ｔ１←Ｔ２＋α）、変更した結果をタッチパネル１２に表示する。
図５は、Ｔ１の変更結果を示す図である。
先に冷房時の温度として「２６.０℃」が選択され、次いで暖房時の温度として「２４.０℃」が選択されたとする。αを３.０℃とすると、選択された温度Ｔ１とＴ２との温度差がデッドバンドの規制を満たしていないため、先に選択された冷房時の温度を「２６.０℃」から「２７.０℃」へと変更している。
【００１９】
ステップＳ１１５では、記憶部２３からαを読み出し、先に選択された温度Ｔ１が後に選択された温度Ｔ２よりも小さく、且つ温度Ｔ２から温度Ｔ１を減算した値がα以上であるか否かを判定する（Ｔ２＞Ｔ１、且つＴ２−Ｔ１≧α）。ここで、温度Ｔ１が温度Ｔ２よりも小さく、且つ温度Ｔ２から温度Ｔ１を減算した値がα以上（Ｔ２＞Ｔ１、且つＴ２−Ｔ１≧α）であるとき（Ｓ１１５−Ｙｅｓ）には、選択された温度Ｔ１とＴ２との温度差がデッドバンドの規制を満たしていると判断してステップＳ１１７に移行する。一方、温度Ｔ１が温度Ｔ２以上である、又は温度Ｔ２から温度Ｔ１を減算した値がα未満（Ｔ２≦Ｔ１、又はＴ２−Ｔ１＜α）であるとき（Ｓ１１５−Ｎｏ）には、選択された温度Ｔ１とＴ２との温度差がデッドバンドの規制を満たしていないと判断してステップＳ１１６に移行する。
【００２０】
ステップＳ１１６では、先に選択した温度Ｔ１を、後から選択した温度Ｔ２にデッドバンド分のαを減算した値に変更し（Ｔ１←Ｔ２−α）、変更した結果をタッチパネル１２に表示する。
ステップＳ１１７では、ユーザが冷房時の設定温度、及び暖房時の設定温度を送信したか否かを判定する。例えば、図４では右下に送信ボタン３３を表示してあり、ユーザが送信ボタン３３をタッチすると、冷房時の設定温度、及び暖房時の設定温度が、空気調和機１４へ送信される。ユーザが送信したとき（Ｓ１１７−Ｙｅｓ）には表示処理を終了する。一方、ユーザが送信していないとき（Ｓ１１７−Ｎｏ）にはステップＳ１１８に移行する。
【００２１】
ステップＳ１１８では、後に選択された温度Ｔ２をユーザが再選択したか否かを判定する。温度Ｔ２を再選択していないとき（Ｓ１１８−Ｎｏ）にはステップＳ１１７に移行する。一方、温度Ｔ２を再選択したとき（Ｓ１１８−Ｙｅｓ）にはステップＳ１１９に移行する。
ステップＳ１１９では、選択結果をタッチパネル１２に強調表示する。
ステップＳ１２０では、前述したステップＳ１１２、Ｓ１１３、Ｓ１１５の処理と同様に、選択された温度Ｔ１とＴ２との温度差がデッドバンドの幅より大きいか否かを判定する。選択された温度Ｔ１とＴ２との温度差がデッドバンドの幅より大きいまたは等しいとき（Ｓ１２０−Ｙｅｓ）にはステップＳ１２１に移行する。一方、選択された温度Ｔ１とＴ２との温度差がデッドバンドの幅より小さい（Ｓ１２０−Ｎｏ）ときにはステップＳ１２２に移行する。
【００２２】
ステップＳ１２１では、先に選択された温度Ｔ１を、変更前の初期値に戻してからステップＳ１１７に移行する。
図６は、Ｔ１の復帰結果を示す図である。
先に冷房時の温度として「２６.０℃」が選択され、次いで暖房時の温度として「２４.０℃」が選択されたことで、先に選択された冷房時の温度が「２７.０℃」へと変更されていた。これに対して、ユーザが暖房時の温度として「２２.０℃」を再選択すると、先に選択された冷房時の温度は当初の「２６.０℃」へと復帰する。
ステップＳ１２２では、前述したステップＳ１１４、Ｓ１１６の処理と同様に、先に選択された温度Ｔ１を変更してからステップＳ１１７に移行する。
上記が表示処理である。
【００２３】
《作用》
次に、実施形態の主要な作用について説明する。
米国の空気調和機においては、省エネルギーの観点から、冷房で設定できる最低温度と暖房で設定できる最高温度との間に、一定の幅（本実施例ではα）を設けることが定められている。すなわち、冷房の設定温度を低めに設定し、且つ暖房の設定温度を高めに設定することを制限している。しかしながら、ユーザが冷房の設定温度と暖房の設定温度とを任意に設定できる構成の場合、デッドバンドの規制を確実に履行するためには、冷房と暖房の設定温度差をα以上にする様に設定者が常に注意を払い調整する必要があり、設定操作が煩雑になる可能性がある。
【００２４】
そこで、まずユーザが冷房時の温度リスト３１及び暖房時の温度リスト３２のうち、何れか一方から任意の温度を選択し（Ｓ１０６−Ｙｅｓ）、次いで他方から任意の温度を選択したとする（Ｓ１０９−Ｙｅｓ）。このとき、冷房時の温度が暖房時の温度よりも高く、且つ双方の差が予め定めたデッドバンド以上となるように、後から選択された温度Ｔ２に応じて、先に選択された温度Ｔ１を変更する。
具体的には、先に選択された温度Ｔ１が冷房時の温度であるとする（Ｓ１１２−Ｙｅｓ）。そして、冷房時の温度Ｔ１が暖房時の温度Ｔ２以下である、又は冷房時の温度Ｔ１から暖房時の温度Ｔ２を減算した値がα未満であるとする（Ｓ１１３−Ｎｏ）。この場合には、先に選択された温度Ｔ１を、後から選択された温度Ｔ２に対してαを加算した値に変更する（Ｓ１１４）。
【００２５】
一方、先に選択された温度Ｔ１が暖房時の温度であるとする（Ｓ１１２−Ｎｏ）。そして、暖房時の温度Ｔ１が冷房時の温度Ｔ２以上である、又は冷房時の温度Ｔ２から暖房時の温度Ｔ１を減算した値がα未満であるとする（Ｓ１１５−Ｎｏ）。この場合には、先に選択された温度Ｔ１を、後から選択された温度Ｔ２に対してαを減算した値に変更する（Ｓ１１６）。
このように、冷房の温度及び暖房の温度を任意に選択した際に、暖房時の温度＜冷房時の温度、かつ双方の差がα以上となるように、後から選択された温度Ｔ２に応じて、先に選択された温度Ｔ１を変更するので、ユーザはデッドバンドの規制を容易に履行することができる。
【００２６】
また、後から選択された温度Ｔ２を修正するために、ユーザが再選択したとする（Ｓ１１８−Ｙｅｓ）。このとき、冷房の温度から暖房の温度を減算した値がα以上になったときには（Ｓ１２０−Ｙｅｓ）、先に選択された温度Ｔ１を変更前の初期値に戻す（Ｓ１２１）。このように、先に選択された温度Ｔ１の初期値を維持することで、ユーザの当初の指示を反映させた制御を行なうことができる。
そして、ユーザが送信ボタン３３をタッチすると、冷房時の設定温度、及び暖房時の設定温度が、空気調和機１４へと送信される（Ｓ１１７）。これにより、ユーザの指示に従った空気調和が実現される。
【００２７】
《変形例》
上記の実施形態では、ユーザがタッチパネル１２を介して操作入力する構成について説明したが、これに限定されるものではない。例えば、冷房時の温度リスト及び暖房時の温度リストをディスプレイに表示し、ユーザがポインティングデバイスであるマウスを操作して任意の温度を選択する構成にも適用することができる。この場合、カーソルが位置する温度を強調表示すると共に、カーソルの移動と共に選択される温度が可変となり、クリックで温度が固定されるようにすることが望ましい。さらに、スマートフォン等の携帯端末を介して操作入力する構成にも適用することができる。要は、ユーザに対して温度リストを表示し、且つユーザの選択結果を表示可能な表示インタフェースであれば、他の如何なる構成にも適用することができる。
【００２８】
以上、限られた数の実施形態を参照しながら説明したが、権利範囲はそれらに限定されるものではなく、上記の開示に基づく実施形態の改変は、当業者にとって自明のことである。
【符号の説明】
【００２９】
１１  制御システム
１２  タッチパネル
１２ａ  入力部
１２ｂ  表示部
１３  コントローラ
１４  空気調和機
２１  リスト表示処理部
２２  選択結果表示処理部
２３  記憶部
２４  指令送信部
３１  冷房時の温度リスト
３２  暖房時の温度リスト
３３  送信ボタン
【図１】
2019074259.tif 000003
【図２】
2019074259.tif 000004
【図３】
2019074259.tif 000005
【図４】
2019074259.tif 000006
【図５】
2019074259.tif 000007
【図６】
2019074259.tif 000008